(57)【要約】      （修正有）【課題】簡易な構成で、吸気力の高い吸気装置用フード構造を提供する。【解決手段】吸気装置に接続される吸気装置用フード構造は、吸気対象空間に向けて配置されるフード１１と、吸気対象空間に向くガイド面１２ａを有し、フード１１に対向して配置されるガイド部材１２と、を備えている。フード１１およびガイド部材１２の少なくとも一方は、互いに対向する部分に凹部１１ｃ、１２ｂを備えている。ガイド部材１２は、フード１１と最も近接する部分において、互いの間に間隙Ｇが形成されるように、フード１１から離間して配置されている。ガイド部材１２は、間隙Ｇを横断する断面視において、フード１１よりも小さい寸法である。ガイド面１２ａは、間隙Ｇから離れるにつれて吸気対象空間側に突出する傾斜面となっている。【選択図】図３
0003229147.tif 000002
【実用新案登録請求の範囲】
【請求項１】
吸気装置に接続される吸気装置用フード構造であって、
吸気対象空間に向けて配置されるフードと、
前記吸気対象空間に向くガイド面を有し、前記フードに対向して配置されるガイド部材と、を備え、
前記フードおよび前記ガイド部材の少なくとも一方は、互いに対向する部分に凹部を備え、
前記ガイド部材は、前記フードと最も近接する部分において、互いの間に間隙が形成されるように、前記フードから離間して配置され、
前記ガイド部材は、前記間隙を横断する断面視において、前記フードよりも小さい寸法であり、
前記ガイド面は、前記間隙から離れるにつれて前記吸気対象空間側に突出する傾斜面である吸気装置用フード構造。
【請求項２】
前記ガイド面は、前記断面視において、略前記吸気対象空間に向けて凸となる曲線状である請求項１記載の吸気装置用フード構造。
【請求項３】
前記ガイド面は、前記断面視において、半円状である請求項２記載の吸気装置用フード構造。
【請求項４】
前記フードおよび前記ガイド部材は、互いに対向する部分において、いずれも凹部を備え、
前記ガイド部材は、少なくとも前記ガイド面が部分的に前記フードの凹部の内部に位置するように配置されている請求項１から３のいずれか一項に記載の吸気装置用フード構造。
【請求項５】
前記フードおよび前記ガイド部材は長尺であり、
前記間隙は前記フードの長手方向に沿って形成されている請求項１から４のいずれか一項に記載の吸気装置用フード構造。
【考案の詳細な説明】
【技術分野】
【０００１】
本考案は、空気を収集する吸気装置に用いられるフード構造に関する。
【背景技術】
【０００２】
近年、ウィルスや細菌等に起因する感染症の感染を防止または抑制するために、口からの飛沫を抑制することの重要性が叫ばれている。個人の取り組みとしては、マスクやフェイスガード等を使用し、他人の飛沫を浴びることを回避するとともに、自身の飛沫が拡散することを防止している。一方、人と人との間にアクリル板等の飛沫防止板（仕切り板）を設け、飛沫が他人にかからないようにすることも行われている。
【０００３】
しかしながら、飛沫防止板が低い場合には、飛沫が仕切り板を乗り越える可能性がある。また、仕切り板で直接飛沫を浴びることを防いだとしても、飛散した飛沫が壁等に付着し、この飛沫中にウィルス等が含まれている場合には、壁等を触った人が感染するおそれがある。
【０００４】
このような課題を解決するために、飛沫防止板の近傍（上方等）に吸気装置を設け、飛沫を吸引することが考えられる。しかしながら、本考案の考案者の実験では、単に仕切り板の上方に吸気装置を設けただけでは、十分な吸気力が発揮されないことが判明した。
【０００５】
一方、一般的な換気扇等の吸気装置では、フード構造を工夫することによって、その吸気力を高めている。例えば、特許文献１の換気装置では、フード内の換気ファンよりも下方に、整流板としての多孔板を設けている。特許文献２の換気装置では、フード内に、開口部から下方に拡開しながら延びる集煙ガイドを設けている。特許文献３の排気フードでは、排気口を囲んで設けられた囲壁部を備え、囲壁部の外面に天井に向って囲壁部より離れる方向に傾斜する整流板を設けている。
【先行技術文献】
【特許文献】
【０００６】
【特許文献１】特開平６−３００３３７号公報
【特許文献２】特開平９−０２６１７８号公報
【特許文献３】特開２００８−０７００９６号公報
【考案の概要】
【考案が解決しようとする課題】
【０００７】
上述した換気装置等では、その特徴構成によって排気（吸気）力を高めることができる。しかしながら、本考案の考案者による実験を通じて、これらの技術でも上述の目的には十分でないことが判明した。そこで、本考案の考案者は、さらなる創意工夫を重ね、本考案を創作するに至った。
【０００８】
本考案は上記課題に鑑みてなされたものであり、その目的は、簡易な構成で、吸気力の高い吸気装置用フード構造を提供することにある。
【課題を解決するための手段】
【０００９】
上記課題を解決するために、本考案に係る、吸気装置に接続される吸気装置用フード構造は、吸気対象空間に向けて配置されるフードと、前記吸気対象空間に向くガイド面を有し、前記フードに対向して配置されるガイド部材と、を備え、前記フードおよび前記ガイド部材の少なくとも一方は、互いに対向する部分に凹部を備え、前記ガイド部材は、前記フードと最も近接する部分において、互いの間に間隙が形成されるように、前記フードから離間して配置され、前記ガイド部材は、前記間隙を横断する断面視において、前記フードよりも小さい寸法であり、前記ガイド面は、前記間隙から離れるにつれて前記吸気対象空間側に突出する傾斜面となっている。
【００１０】
この構成では、フードとガイド部材とが対向する部分において、いずれか一方に凹部が形成されているため、いずれにも凹部が形成されていない場合と比べて、その対向部分に大きな空間（内部空間）が形成される。そして、その空間に吸気装置からの吸引力を作用させると、その内部空間が陰圧状態となる。この内部空間は間隙を介して吸気対象空間と連通しているため、内部空間が陰圧状態となると、吸気対象空間の空気が内部空間に流入しようとする力が生じる。この力はガイド面に沿って大きく作用する。そのため、ガイド面が最も吸気対象空間側に突出している部分の近傍に、例えば、飛沫防止板等を配置しておけば、飛沫防止板からガイド面に沿い、間隙を介して内部空間に流入しようとする力が作用する。よって、飛沫防止板近傍の空気を効果的に吸気装置に吸引させることができる。
【００１１】
ガイド面の形状としては、様々なものを採用することができる。本考案に係る吸気装置用フード構造の好適な実施形態の一つでは、前記ガイド面は、前記断面視において、略前記吸気対象空間に向けて凸となる曲線状である。さらに好ましくは、前記ガイド面は、前記断面視において、半円状である。
【００１２】
このように、ガイド面の断面視形状を、略前記吸気対象空間側に凸となる曲線状、特に半円形状とすることにより、周りのガイド面に沿った気流が発生した際に、周りの空気を巻き込み、大きな気流とすることができる。そのため、より効率的に吸気を行うことができる。
【００１３】
本考案に係る吸気装置用フード構造の好適な実施形態の一つでは、前記フードおよび前記ガイド部材は、互いに対向する部分において、いずれも凹部を備え、前記ガイド部材は、少なくとも前記ガイド面が部分的に前記フードの凹部の内部に位置するように配置されている
【００１４】
この構成では、フードとガイド部材のいずれにも凹部が形成されることによって、大きな内部空間を形成することができる。そのため、その内部空間に吸気装置の吸気力を作用させた際に、より陰圧状態とし、大きな気流を生じさせることができる。
【００１５】
本考案に係る吸気装置用フード構造の好適な実施形態の一つでは、前記フードおよび前記ガイド部材は長尺であり、前記間隙は前記フードの長手方向に沿って形成されている。
【００１６】
このように構成された吸気装置用フード構造を、飛沫防止板のような板状部材の縁辺近傍や、壁等の平面の端辺近傍に配置すれば、それらの面近傍の空気を効率よく吸引することができ、吸気効率を高めることができる。
【図面の簡単な説明】
【００１７】
【図１】吸気装置用フード構造の設置例を示す斜視図である。
【図２】吸気装置用フード構造の分解斜視図である。
【図３】吸気装置用フード構造の断面図である。
【図４】別実施形態における吸気装置用フード構造の断面図である。
【図５】別実施形態における吸気装置用フード構造の斜視図である。
【考案を実施するための形態】
【００１８】
以下に図面を用いて、本考案に係る吸気装置用フード構造の実施形態を説明する。なお、本考案における吸気装置とは、換気扇等の換気装置、排気装置等の名称を問わず、ある空間の空気を収集し、他の空間に移動させる装置を言う。
【００１９】
図１は、本考案に係る吸気装置用フード構造の設置例を示す斜視図である。図２は、吸気装置用フード構造の分解斜視図である。また、図３は、図１におけるＩＩＩ−ＩＩＩ断面図である。なお、以下の説明における断面視とは、ＩＩＩ−ＩＩＩ矢視、すなわち、図３に示すものを指す。
【００２０】
図１に示すように、本実施形態では、吸気装置用フード構造１は、机Ｄの上に設置され、ダクト２を介して吸気装置Ａに接続されている。また、吸気装置用フード構造１の下方には、飛沫防止板Ｂが配置されている。これにより、飛沫防止板Ｂを挟んで会話等を行っても、口からの飛沫が相手側に飛散するのを防止することができる。したがって、本実施形態では、吸気装置用フード構造１の下方の空間が吸気対象空間であり、吸気対象空間側とは吸気装置用フード構造１の下方を意味する。
【００２１】
〔フード，ガイド部材〕
図２に示すように、吸気装置用フード構造１は、フード１１と、ガイド部材１２とを備えている。フード１１およびガイド部材１２はいずれも飛沫防止板Ｂの幅よりも少し長い長尺形状である。また、図３に示すように、フード１１およびガイド部材１２はいずれも断面形状は半円であり、互いに対向する部分には、それぞれ第１凹部１１ｃ，第２凹部１２ｂが形成されている。すなわち、フード１１およびガイド部材１２は、肉薄の円環状部材を軸方向に半分に切断した形状となっている。
【００２２】
断面視において、フード１１の幅はガイド部材１２の幅よりも大きくなっており、ガイド部材１２はフード１１の第１凹部１１ｃの内部に収容されている。本実施形態では、ガイド部材１２の外面（下方側面）が本考案におけるガイド面に相当し、ガイド面１２ａと表記する。本実施形態では、ガイド部材１２全体が第１凹部１１ｃの内部に収容されているが、ガイド部材１２の吸気対象空間側の端部が第１凹部１１ｃから突出しても構わない。
【００２３】
図３に示すように、断面視において、ガイド部材１２のフード１１側の両端部はフード１１の内面から若干離間しており、フード１１の内壁とガイド部材１２の両端部との間に間隙Ｇが形成されている。以下の説明では、フード１１の第１凹部１１ｃによって形成された空間を内部空間Ｓと称する。また、内部空間Ｓのうち、フード１１の第１凹部１１ｃと、ガイド部材１２の第２凹部１２ｂと、によって略外囲された空間を第１内部空間Ｓ１、それ以外を第２内部空間Ｓ２と称する。
【００２４】
図２に示すように、フード１１の長手方向の両端部には、フード１１の断面形状と同一形状の板状の端部板１１ａが固定されている。これにより、フード１１は一方（本実施形態では下方）にのみ開口する形状となっている。また、ガイド部材１２の長手方向の端部は支持部材１３の上端に固定されている。ガイド部材１２の長手方向の両端部はこの支持部材１３によって塞がれ、ガイド部材１２も一方（本実施形態では上方）にのみ開口した形状となっている。支持部材１３の下端部には脚部１４が固定されている。これにより、支持部材１３は自立することができ、ガイド部材１２は支持部材１３に支持された状態で机Ｄの上に設置することができる。
【００２５】
〔ダクト〕
本実施形態では、吸気装置Ａは吸気装置用フード構造１から離れた位置に設置されている。そのため、図１に示すように、本実施形態では、吸気装置用フード構造１には、空気の流路として、複数のパイプ２１と、複数のエルボー２２と、によって構成されたダクト２が接続されている。ダクト２は第１凹部１１ｃ（内部空間Ｓ）と連通しており、このダクト２によって、フード１１の内部空間Ｓの空気を吸気装置Ａへと導くことができる。ダクト２の具体的な構成は、以下の通りである。
【００２６】
フード１１の長手方向中央上部、すなわち、吸気対象空間とは反対側には、フード１１の内部空間Ｓと連通し、流路の方向を鉛直方向から水平方向に変換するエルボー２２ａが取り付けられている。エルボー２２ａにはパイプ２１ａが接続され、パイプ２１ａのもう一方の端部にはエルボー２２ｂが接続され、流路の方向が水平方向から鉛直方向に変換される。さらに、エルボー２２ｂのもう一方の端部にはパイプ２１ｂの上側端部が接続され、パイプ２１ｂの下側端部にはエルボー２２ｃが接続されている。エルボー２２ｃのもう一方の端部にはパイプ２１ｃが接続され、パイプ２１ｃのもう一方の端部には、吸気装置Ａに接続されたエルボー２２ｄが接続されている。なお、本実施形態では、パイプ２１ｂを通常の直管のパイプとしたが、これを伸縮自在のパイプとすれば、容易にガイド部材１２の設置高さを変更することができるため、好ましい。また、ダクトの構成は適宜変更であり、フード１１の近傍に吸気装置Ａを配置し、ダクトを介して排気する構成とすることもできる。
【００２７】
〔飛沫防止板〕
飛沫防止板Ｂは、口からの飛沫が相手側に飛散するのを防止できるものであれば、板状や膜状等であっても構わない。また、その素材も様々なものを用いることができるが、透明な素材であれば相手の様子を確認できるため、好ましい。
【００２８】
〔吸気装置〕
本実施形態における吸気装置Ａは、フード１１の内部空間Ｓに対して吸引力を作用できるものであれば吸引の方式は問わず、様々なものを用いることができる。なお、吸気装置Ａは吸引した空気を装置外に排出するため、感染症の予防を目的とする場合には、空気を滅菌、除菌等した後に排出するのが望ましい。
【００２９】
〔設置方法〕
以下に図２を用いて本実施形態における吸気装置用フード構造１の設置方法を説明する。先ず、支持部材１３が固定されたガイド部材１２を机Ｄの上に設置する。次に、ガイド部材１２のネジ孔（図示せず）に対して、下方からボルト３を挿通し、ナット４ａで締結する。これにより、ボルト３はガイド部材１２に固定される。
【００３０】
次に、ボルト３にナット４ｂを締結する。このナット４ｂはフード１１の下方への移動を規制するものである。具体的には、図３に示すように、フード１１の内面とガイド部材１２の両側端部との間に間隙Ｇが形成されるよう、ナット４ｂの位置が決められる。なお、この間隙Ｇの大きさは数ミリ程度、例えば、２〜３ｍｍとする。
【００３１】
そして、ボルト３がフード１１のネジ孔１１ｂに挿通するように、フード１１を被せ、ボルト４ｃで締結する。
【００３２】
その後、フード１１にダクト２を接続してゆく。なお、本実施形態では、ダクト２を安定して設置するために、パイプ２１ｂにナット６ａを固定している。具体的には、パイプ２１ｂに近接する支持部材１３にネジ孔１３ａを形成し、ネジ孔１３ａに挿通したボルト５をナット６ａに締め付けるとともに、ナット６ｂで締め付ける。
【００３３】
ボルト３は、頭部から垂下するフック３１を備えている。一方、飛沫防止板Ｂの上縁近傍には孔ｂが形成されている。この孔ｂに対してフック３１を挿通することにより、飛沫防止板Ｂはボルト３を介してガイド部材１２に支持される。
【００３４】
次に、図３を用いて本考案に係る吸気装置用フード構造１の機能について説明する。なお、図中の白抜き矢印は空気の流れを表している。吸気装置Ａを作動させると、その吸引力はダクト２を介してフード１１の第１内部空間Ｓ１に作用し、第１内部空間Ｓ１内の空気はダクト２に流出する。このとき、第１内部空間Ｓ１が陰圧状態となるため、第２内部空間Ｓ２内から第１内部空間Ｓ１への空気の流れが生じる。第１内部空間Ｓ１と第２内部空間Ｓ２とは間隙Ｇを介して連通しているため、この空気の流れは略噴流となる。そのため、第２内部空間Ｓ２から第１内部空間Ｓ１への空気の流れは、周囲の空気を巻き込み、強い流れを形成する。そのため、その空気の流れは内部空間Ｓの外の空気にも作用しやすくなり、飛沫防止板Ｂの周囲の空気も飛沫防止板Ｂの板面に沿って上昇し、ガイド面１２ａ等を沿って流れ、間隙Ｇを介して第１内部空間Ｓ１に流入する。
【００３５】
このように、本考案に係る吸気装置用フード構造１では、上述の構造とすることにより、噴流を発生させ、大きな気流を生じさせ、吸引力を高めることができる。
【００３６】
〔別実施形態〕
（１）上述の実施形態では、フード１１およびガイド部材１２に形成された第１凹部１１ｃ，第２凹部１２ｂの断面形状を半円弧としたが、少なくとも一方を対向辺が開口する矩形としても構わない。例えば、図４（ａ）に示すように、フード１１の断面形状を下方（ガイド部材１２側、吸気対象空間側）の辺が開口する矩形とすることによって凹部１１ｃを形成している。
【００３７】
（２）上述の実施形態では、ガイド面１２ａの断面形状を半円弧としたが、図４（ｂ）に示すように、直線状としても構わない。
【００３８】
（３）上述の実施形態では、ガイド面１２ａの断面形状を対称形としたが、非対称形とすることもできる。例えば、図４（ｃ）は、ガイド面１２ａの断面視形状を９０°の円弧とし、一方の端部近傍をボルト３によって固定している。なお、フード１１も同様に断面視は９０°の円弧となっているが、図中左側は封鎖され、下方のみが開口した状態となっている。この場合、間隙Ｇは、一方側（右側）にしか形成されないが、飛沫防止板Ｂの右側の空気は吸引することができる。このような構成は、例えば、壁際等に吸気装置用フード構造１を設置する場合に適している。
【００３９】
（４）上述の実施形態では、フード１１およびガイド部材にそれぞれ第１凹部１１ｃおよび第２凹部１２ｂを形成したが、いずれか一方にのみ凹部を形成しても構わない。すなわち、フード１１を平板状とし、ガイド部材１２を上述の実施形態のような形状とする。または、フード１１に上述のような凹部を形成し、ガイド部材１２のフード１１側の面を平面とする。ただし、後者の場合であっても、ガイド面１２ａの形状は維持する。
【００４０】
（５）上述の実施形態では、フード１１およびガイド部材１２にそれぞれ第１凹部１１ｃおよび第２凹部１２ｂを形成し、その内面を断面視において半円形状としたが、楕円弧等、略吸気対象側に凸となる曲線形状としても構わない。また、上述の実施形態では、凹部の断面形状を１８０°の円弧としたが、その角度は１８０°に限定されるものではない。
【００４１】
（６）上述の実施形態では、飛沫防止板Ｂ等の平面近傍の空気を効率的に吸引できるよう、フード１１およびガイド部材１２を長尺としたが、フード１１およびガイド部材１２の形状は長尺でなくとも構わない。例えば、図５に示すような、第１凹部１１ｃおよび第２凹部１２ｂが形成された半球状とすることもできる。
【００４２】
（７）本考案は、実施形態および別実施形態において具体的に示した実施例に限定されるものではなく、これらの実施例に示された技術的思想を組み合わせたものをも含む。
【産業上の利用可能性】
【００４３】
本考案は、排気装置、換気装置等と称される、ある空間の空気を吸引し、他の空間に移動させる吸気装置のフードに利用することができる。
【符号の説明】
【００４４】
Ａ：吸気装置
Ｇ：間隙
１：吸気装置用フード構造
１１：フード
１１ｃ：第１凹部
１２：ガイド部材
１２ａ：ガイド面
１２ｂ：第２凹部
【図１】
0003229147.tif 000003
【図２】
0003229147.tif 000004
【図３】
0003229147.tif 000005
【図４】
0003229147.tif 000006
【図５】
0003229147.tif 000007